(57)【要約】【課題】  本発明は、装置本体と蓋体との係止を解除するためのイジェクトボタンのスライドと、蓋体を開く動作とを一連の動作で行うことができ、片手で蓋体を開くことができる収納装置を提供することを課題とする。【解決手段】  閉蓋状態において、イジェクトボタン２２を後側に向けてスライド（移動）させることにより、イジェクトボタン２２のスライドに連動してスライド板２１も後方向にスライドされて、スライド板２１の被係止部２１ａとフック１１との係止が解除されて蓋体２が開放される。蓋体２が開放された後、さらにイジェクトボタン２２を後側に向けて移動させることにより、装置本体１の後側に配置されたヒンジ部を介して蓋体２が開き、被収納物を収納ホルダ３に収納させることができる開蓋状態になる。【選択図】        図３
2006124022.tif 000002
【特許請求の範囲】
【請求項１】
装置本体と、該装置本体の後側に配置されたヒンジ部を介して開閉可能に支持されている蓋体とを備え、前記蓋体を開いて被収納物を内部に収納する収納装置であって、
前記蓋体の表面にスライド可能に設けられたイジェクトボタンと、
前記蓋体の裏面に設けられ、前記イジェクトボタンに連動する被係止手段と、
前記装置本体に設けられ、前記被係止手段を係止する係止手段とを具備し、
前記イジェクトボタンのスライドにより、前記被係止手段と前記係止手段との係止が解除されて前記蓋体が開放されることを特徴とする収納装置。
【請求項２】
前記イジェクトボタンは、前記蓋体の表面の中央よりも後側に設けられていることを特徴とする請求項１記載の収納装置。
【請求項３】
前記イジェクトボタンは、前後方向にスライド可能に設けられており、
前記イジェクトボタンの後側に向けてのスライドにより、前記被係止手段と前記係止手段との係止が解除されて前記蓋体が開放されることを特徴とする請求項１又は２記載の収納装置。
【発明の詳細な説明】
【技術分野】
【０００１】
本発明は、ＣＤ（compact disc）やＭＤ（Mini Disc）等の記録媒体を被収納物として収納部に収納するプレーヤ等の装置に適用される収納装置に関し、特に本体内の収納部を開閉する蓋体を備えた収納装置に関する。
【背景技術】
【０００２】
図７は、従来の収納装置の開蓋状態における構成を示す外観図であり、図８は、従来の収納装置の構成を示す図であり、（ａ）〜（ｃ）は、閉蓋状態における構成を示す平面図、正面図および側面図であり、（ｄ）は、開蓋状態における構成を示す側面図である。
【０００３】
ＣＤ（compact disc）やＭＤ（Mini Disc）等の記録媒体を被収納物として収納部に収納するプレーヤ等の装置に適用される従来の収納装置は、図７および図８に示すように、装置本体１に、装置本体１の後側に配置された図示しないヒンジ部を介して蓋体２が開閉可能に支持されており、蓋体２の内側には、ＣＤ（compact disc）やＭＤ（Mini Disc）等の記録媒体を被収納物として収納する収納部である枠形状の収納ホルダ３が設けられている。
【０００４】
蓋体２の前部左右方向略中央には、係止片４が形成されており、係止片４に対応する装置本体１の部位にはフック５が左右方向にスライド可能に配置されている。フック５は、装置本体１の前面左右方向略中央に配置され、左右方向にスライド可能となっているイジェクトボタン６に連動するように構成されており、イジェクトボタン６をスライドさせることによりフック５もスライドする。
【０００５】
閉蓋状態では、図８（ａ）〜（ｃ）に示すように、フック５が係止片４に係止されて蓋体２が閉蓋状態で保持され、閉蓋状態において、イジェクトボタン６をスライドさせることによって、フック５と係止片４との係止が解除されて蓋体２が開放され、図７および図８（ｄ）に示すように、被収納物を収納ホルダ３に収納させることができる開蓋状態になる（例えば、特許文献１参照）。
【０００６】
しかしながら、従来技術では、装置本体１の前面に設けられたイジェクトボタン６を左右方向にスライドさせてフック５と係止片４との係止を解除するように構成されているため、イジェクトボタン６を左右方向にスライドさせてフック５と係止片４との係止を解除する係止解除動作と、蓋体２を開く開蓋動作とを個別に行う必要があり、両手を使用しないと蓋体２を開くことができないという問題点があった。
【特許文献１】特開２０００−６８６６０号公報
【発明の開示】
【発明が解決しようとする課題】
【０００７】
本発明は斯かる問題点に鑑みてなされたものであり、その目的とするところは、装置本体と蓋体との係止を解除するためのイジェクトボタンのスライドと、蓋体を開く動作とを一連の動作で行うことができ、片手で蓋体を開くことができる収納装置を提供する点にある。
【課題を解決するための手段】
【０００８】
本発明は上記課題を解決すべく、以下に掲げる構成とした。
本発明の収納装置は、装置本体と、該装置本体の後側に配置されたヒンジ部を介して開閉可能に支持されている蓋体とを備え、前記蓋体を開いて被収納物を内部に収納する収納装置であって、前記蓋体の表面にスライド可能に設けられたイジェクトボタンと、前記蓋体の裏面に設けられ、前記イジェクトボタンに連動する被係止手段と、前記装置本体に設けられ、前記被係止手段を係止する係止手段とを具備し、前記イジェクトボタンのスライドにより、前記被係止手段と前記係止手段との係止が解除されて前記蓋体が開放されることを特徴とする。
【０００９】
さらに、本発明の収納装置は、前記イジェクトボタンは、前記蓋体の表面の中央よりも後側に設けられていることを特徴とする。
【００１０】
さらに、本発明の収納装置は、前記イジェクトボタンは、前後方向にスライド可能に設けられており、前記イジェクトボタンの後側に向けてのスライドにより、前記被係止手段と前記係止手段との係止が解除されて前記蓋体が開放されることを特徴とする。
【発明の効果】
【００１１】
本発明の収納装置は、蓋体の表面に設けられたイジェクトボタンをスライドさせることにより、蓋体に設けられた被係止手段と装置本体に設けられた係止手段との係止が解除されて蓋体が開放されるように構成することにより、被係止手段と係止手段との係止を解除させる係止解除動作と、装置本体の後側に配置されたヒンジ部を介して蓋体を開く開蓋動作とをイジェクトボタンによる一連の動作で行うことができるため、片手で蓋体を開くことができ、被収納物の収納に係る動作が簡略化されて操作性が向上するという効果を奏する。
【発明を実施するための最良の形態】
【００１２】
以下、本発明の実施の形態を図面に基づいて詳細に説明する。
【００１３】
（第１の実施の形態）
図１は、本発明に係る収納装置の第１の実施の形態の開蓋状態における構成を示す外観図であり、図２は、本発明に係る収納装置の第１の実施の形態の閉蓋状態における構成を示す図であり、（ａ）は、平面図であり、（ｂ）は、正面図であり、（ｃ）は、側面図である。図３は、本発明に係る収納装置の第１の実施の形態の開蓋状態における構成を示す図であり、（ａ）は、平面図であり、（ｂ）は、正面図であり、（ｃ）は、側面図である。
【００１４】
第１の実施の形態は、ＣＤ（compact disc）やＭＤ（Mini Disc）等の記録媒体を被収納物として収納部に収納するプレーヤ等の装置に適用される収納装置であり、図１乃至図３を参照すると、薄い略直方体状をしている装置本体１に、装置本体１の後側に配置された図示しないヒンジ部を介して蓋体２が開閉可能に支持されており、蓋体２の内側には、ＣＤ（compact disc）やＭＤ（Mini Disc）等の記録媒体を被収納物として収納する収納部である枠形状の収納ホルダ３が設けられている。
【００１５】
蓋体２の裏面の左右方向略中央には、スライド板２１が被収納物の挿入方向、すなわち装置本体１の前後方向にスライド可能に取り付けられており、スライド板２１の前側端部には、被係止部２１ａが形成され、被係止部２１ａに対応する装置本体１の部位には、被係止部２１ａを係止する係止手段であるフック１１が固定されて配置されている。
【００１６】
蓋体２の表面には、前後方向にスライド可能なイジェクトボタン２２が中央よりも後側に設けられており、イジェクトボタン２２とスライド板２１とは、蓋体２に形成されている図示しない開口を介して連結され、イジェクトボタン２２のスライドに連動してスライド板２１もスライドされるように構成されており、イジェクトボタン２２を前後方向にスライドさせることにより、イジェクトボタン２２のスライドに連動してスライド板２１も前後方向にスライドする。
【００１７】
また、スライド板２１は、図２（ａ）に矢印で示す前側に向けて、すなわち被係止部２１ａがフック１１に係止される方向に向けて図示しないバネ等の付勢手段によって付勢されており、イジェクトボタン２２に外部から力が作用しない状態では、図２（ａ）〜（ｃ）に示すように、スライド板２１の被係止部２１ａがフック１１によって係止され、蓋体２が閉蓋状態で保持される。
【００１８】
閉蓋状態において、イジェクトボタン２２を図３（ａ）に示す矢印の方向、すなわち後側に向けてスライド（移動）させることにより、イジェクトボタン２２のスライドに連動してスライド板２１も後方向にスライドされて、スライド板２１の被係止部２１ａとフック１１との係止が解除されて蓋体２が開放される。蓋体２が開放された後、さらにイジェクトボタン２２を図３（ａ）に示す矢印の方向、すなわち後側に向けて移動ことにより、イジェクトボタン２２に加わる力が蓋体２を開く方向に作用し、装置本体１の後側に配置された図示しないヒンジ部を介して蓋体２が開き、図１および図３（ａ）〜（ｃ）に示すように、被収納物を収納ホルダ３に収納させることができる開蓋状態になる。
【００１９】
閉蓋状態から開蓋状態に移行させる動作、すなわち蓋体２を開けるための動作は、イジェクトボタン２２を操作してスライド板２１の被係止部２１ａとフック１１との係止を解除させる係止解除動作と、装置本体１の後側に配置された図示しないヒンジ部を介して蓋体２を開く開蓋動作とが必要になるが、第１の実施の形態では、イジェクトボタン２２を図３（ａ）に示す矢印の方向、すなわち後側に向けて移動させるだけで、係止解除動作および開蓋動作を行うことができる。
【００２０】
（第２の実施の形態）
図４は、本発明に係る収納装置の第２の実施の形態の開蓋状態における構成を示す外観図であり、図５は、本発明に係る収納装置の第２の実施の形態の閉蓋状態における構成を示す図であり、（ａ）は、平面図であり、（ｂ）は、正面図であり、（ｃ）は、側面図である。図６は、本発明に係る収納装置の第２の実施の形態の開蓋状態における構成を示す図であり、（ａ）は、平面図であり、（ｂ）は、正面図であり、（ｃ）は、側面図である。である。
【００２１】
第２の実施の形態は、ＣＤ（compact disc）やＭＤ（Mini Disc）等の記録媒体を被収納物として収納部に収納するプレーヤ等の装置に適用される収納装置であり、図４乃至図６を参照すると、薄い略直方体状をしている装置本体１に、装置本体１の後側に配置された図示しないヒンジ部を介して蓋体２が開閉可能に支持されており、蓋体２の内側には、ＣＤ（compact disc）やＭＤ（Mini Disc）等の記録媒体を被収納物として収納する収納部である枠形状の収納ホルダ３が設けられている。
【００２２】
蓋体２の裏面には、回動板２３が支点２４を中心に回動可能に取り付けられており、回動板２３の前側解放端には、被係止部２３ａが形成され、被係止部２３ａに対応する装置本体１の部位には、被係止部２３ａを係止する係止手段であるフック１１が固定されて配置されている。
【００２３】
蓋体２の表面には、略左右方向にスライド可能なイジェクトボタン２５が中央よりも後側に設けられており、イジェクトボタン２５と回動板２３の後側解放端とは、蓋体２に形成されている図示しない開口を介して連結され、イジェクトボタン２５の略左右方向のスライドに連動して回動板２３が支点２４を中心に回動されるように構成されており、イジェクトボタン２５を略左右方向にスライドさせることにより、イジェクトボタン２２のスライドに連動して回動板２３が支点２４を中心に回動される。
【００２４】
また、回動板２３は、図５（ａ）に矢印で示す方向に向けて、すなわち被係止部２３ａがフック１１に係止される方向に向けて図示しないバネ等の付勢手段によって付勢されており、イジェクトボタン２５に外部から力が作用しない状態では、図５（ａ）〜（ｃ）に示すように、回動板２３の被係止部２３ａがフック１１によって係止され、蓋体２が閉蓋状態で保持される。
【００２５】
閉蓋状態において、イジェクトボタン２５を図６（ａ）に矢印で示す略左方向に向けてスライド（移動）させることにより、イジェクトボタン２５のスライドに連動して回動板２３が支点２４を中心に回動されて、回動板２３の被係止部２３ａとフック１１との係止が解除されて蓋体２が開放される。蓋体２が開放された後、イジェクトボタン２５を後側に向けて移動させることにより、イジェクトボタン２５に加わる力が蓋体２を開く方向に作用し、装置本体１の後側に配置された図示しないヒンジ部を介して蓋体２が開き、図４および図６（ａ）〜（ｃ）に示すように、被収納物を収納ホルダ３に収納させることができる開蓋状態になる。
【００２６】
閉蓋状態から開蓋状態に移行させる動作、すなわち蓋体２を開けるための動作は、イジェクトボタン２５を操作して回動板２３の被係止部２３ａとフック１１との係止を解除させる係止解除動作と、装置本体１の後側に配置された図示しないヒンジ部を介して蓋体２を開く開蓋動作とが必要になるが、第２の実施の形態では、イジェクトボタン２５を図６（ａ）に矢印で示す略左方向に移動させた後に、後側に向けて移動させるという、イジェクトボタン２５を移動させる一連の動作で係止解除動作および開蓋動作を行うことができる。
【００２７】
以上説明したように、本実施の形態によれば、蓋体２の表面に設けられたイジェクトボタン（２２、２５）をスライドさせることにより、蓋体２の裏面に設けられた被係止部（２１ａ、２３ａ）と装置本体１に設けられたフック１１との係止が解除されて蓋体２が開放されるように構成することにより、被係止手段と係止手段との係止を解除させる係止解除動作と、装置本体１の後側に配置されたヒンジ部を介して蓋体２を開く開蓋動作とをイジェクトボタン（２２、２５）による一連の動作で行うことができるため、片手で蓋体２を開くことができ、被収納物の収納に係る動作が簡略化されて操作性が向上するという効果を奏する。
【００２８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２９】
【図１】本発明に係る収納装置の第１の実施の形態の開蓋状態における構成を示す外観図である。
【図２】本発明に係る収納装置の第１の実施の形態の閉蓋状態における構成を示す図であり、（ａ）は、平面図であり、（ｂ）は、正面図であり、（ｃ）は、側面図である。
【図３】本発明に係る収納装置の第１の実施の形態の開蓋状態における構成を示す図であり、（ａ）は、平面図であり、（ｂ）は、正面図であり、（ｃ）は、側面図である。
【図４】本発明に係る収納装置の第２の実施の形態の開蓋状態における構成を示す外観図である。
【図５】本発明に係る収納装置の第２の実施の形態の閉蓋状態における構成を示す図であり、（ａ）は、平面図であり、（ｂ）は、正面図であり、（ｃ）は、側面図である。
【図６】本発明に係る収納装置の第２の実施の形態の開蓋状態における構成を示す図であり、（ａ）は、平面図であり、（ｂ）は、正面図であり、（ｃ）は、側面図である。
【図７】従来の収納装置の開蓋状態における構成を示す外観図である。
【図８】従来の収納装置の構成を示す図であり、（ａ）〜（ｃ）は、閉蓋状態における構成を示す平面図、正面図および側面図であり、（ｄ）は、開蓋状態における構成を示す側面図である。
【符号の説明】
【００３０】
１  装置本体
２  蓋体
３  収納ホルダ
１１  フック
２１  スライド板
２１ａ  被係止部
２２  イジェクトボタン
２３  回動板
２３ａ  被係止部
２４  支点
２５  イジェクトボタン
【図１】
2006124022.tif 000003
【図２】
2006124022.tif 000004
【図３】
2006124022.tif 000005
【図４】
2006124022.tif 000006
【図５】
2006124022.tif 000007
【図６】
2006124022.tif 000008
【図７】
2006124022.tif 000009
【図８】
2006124022.tif 000010